(57)【要約】      （修正有）【課題】小径ケーブルの場合や、ケーブルが密集している箇所への使用が可能であると同時に、生産性が良好なシール部材を提供する。【解決手段】ケーブル３が挿通する挿通孔４を備えるゴム状弾性材製シール部材５において、シール部材が低硬度のゴム状弾性材製ソフト層１と、ソフト層の両面に接着一体化した高硬度のゴム状弾性材製ハード層２との３層構造であることを特徴とする。【選択図】図１
0003134437.tif 000002
【実用新案登録請求の範囲】
【請求項１】
ケーブル（３）が挿通する挿通孔（４）を備えるゴム状弾性材製シール部材（５）において、前記シール部材（５）が低硬度のゴム状弾性材製ソフト層（１）と、前記ソフト層（１）の両面に接着一体化した高硬度のゴム状弾性材製ハード層（２）、（２）との３層構造であることを特徴とするシール部材。
【請求項２】
前記ソフト層（１）の硬度がＪＩＳＡ硬度０〜２０°であり、前記ハード層（２）の硬度がＪＩＳＡ硬度７０°以上であることを特徴とする請求項１記載のシール部材。
【請求項３】
前記ソフト層（１）がポリウレタンゲル材製であることを特徴とする請求項１または２記載のシールシール部材。
【請求項４】
前記シール部材（５）が前記挿通孔（４）を通る分割面（６）で分割されていることを特徴とする請求項１〜３いずれか一項記載のシール部材。
【請求項５】
前記シール部材（５）には前記シール部材（５）の外周から前記挿通孔（４）に達するスリット（１０）が設けられていることを特徴とする請求項１〜３いずれか一項記載のシール部材。
【請求項６】
請求項１記載のシール部材（５）が、コネクターハウジング（７）内に配置され、前記挿通孔（４）に前記ケーブル（３）が挿通された状態において、前記コネクターハウジング（７）と螺合している締め込み部材（８）により、前記シール部材（５）を押圧することにより、前記ソフト層（１）が径方向内外周側にはみだすことにより、前記ケーブル（３）外周面及び前記コネクターハウジング（７）内周面との密封を達成することを特徴とするコネクター用シール部材。
【請求項７】
請求項１記載のシール部材（５）が、低硬度のゴム状弾性材製ソフト層（１）と、前記ソフト層（１）の両面に接着一体化した高硬度のゴム状弾性材製ハード層（２）、（２）との３層構造の板状体から打ち抜きにより製作されたことを特徴とするシール部材。
【考案の詳細な説明】
【技術分野】
【０００１】
本考案は、シール部材に関するものである。
更に詳しくは、電子機器用ワイヤーハーネスのコネクターなどの電子機器の防水構造を提供するシール部材に関する。
【背景技術】
【０００２】
従来、電子機器に使用するワイヤーハーネスなどのコネクタ一部で、屋外用途中継盤の信号ケーブルや車輛などの水滴がかかる部分では防水性が要求されている。
また、近年、携帯電話等の電子機器や自動車用ワイヤーハーネス等に使用される防水コネクターは小型化が進むと同時に、高い防水機能が求められるようになってきた。
このため、電線とハクジングとの間に、ゴム状弾性材製のＯリングを介在させたり、電線とハクジングとの間隙にシリコーン樹脂を注入して、防水性を確保していた。
【０００３】
しかし、ゴム状弾性材製のＯリングを使用する方式では、小径ケーブルの場合や、ケーブルが密集している箇所には使用が困難であった。
また、電線とハクジングとの間隙にシリコーン樹脂を注入する方式では、シリコーン樹脂が硬化するのに数時間以上かかり、更に、シリコーンが硬化するまでケーブルなどは動かないように数時間養生する必要があるため、作業効率が極めて悪かった。
【０００４】
【特許文献１】特開平１１−１７８１６５号公報
【考案の開示】
【考案が解決しようとする課題】
【０００５】
本考案は以上の点に鑑みて、小径ケーブルの場合や、ケーブルが密集している箇所への使用が可能であると同時に、生産性が良好なシール部材を提供することを目的とする。
【課題を解決するための手段】
【０００６】
上記目的を達成するために本考案にあっては、ケーブルが挿通する挿通孔を備えるゴム状弾性材製シール部材において、前記シール部材が低硬度のゴム状弾性材製ソフト層と、前記ソフト層の両面に接着一体化した高硬度のゴム状弾性材製ハード層との３層構造であることを特徴とする。
【考案の効果】
【０００７】
本考案は、以下に記載されるような効果を奏する。
請求項１記載の考案のシール部材によれば、小径ケーブルの場合や、ケーブルが密集している箇所への使用が可能であると同時に、生産性が良好なシール部材を提供することが出来る。
【０００８】
また、請求項２記載の考案のシール部材によれば、シール部材に押圧力を作用させることにより、ソフト層の径方向へのはみ出しを確実に行える。
更に、請求項３記載の考案のシール部材によれば、ソフト層とケーブルとの密着性を良好に維持でき、防水性能を高めることがきる。
更に、請求項４記載の考案のシール部材によれば、シール部材の取り付けが容易である。
【０００９】
また、請求項５記載の考案のシール部材によれば、シール部材の取り扱いが容易である。
更に、請求項６記載の考案のシール部材によれば、コネクターに用いて特に有効である。
更に、請求項７記載の考案のシール部材によれば、シール部材を安価に提供できる。
【考案を実施するための最良の形態】
【００１０】
以下、本考案を実施するための最良の形態について説明する。
図１乃至図５に基づき考案を実施するための最良の形態について説明する。
図１は本考案のシール部材をケーブルに被着するところの斜視図である。
図２は本考案のシール部材をコネクターハウジングに装着した断面図である。
図３は本考案のシール部材をコネクターハウジングに装着した後、締め込み部材でシール部材を押圧した状態の断面図である。
図４は、図３のオスコネクターとメスコネクターとを接合した状態を示す断面図である。
図５は、他の実施例をオスコネクターとメスコネクターとを接合した状態を断面で示した図である。
【００１１】
本考案は、図１に示す様に、ケーブル３が挿通する挿通孔４を備えるゴム状弾性材製シール部材５であって、このシール部材５が、低硬度のゴム状弾性材製ソフト層１と、このソフト層１の両面に接着一体化した高硬度のゴム状弾性材製ハード層２、２との３層構造となっている。
【００１２】
そして、このソフト層１は、硬度がＪＩＳＡ硬度０〜２０°の超低硬度のポリウレタンゲル材製である。
また、ハード層２は、硬度がＪＩＳＡ硬度７０°以上のポリウレタン材製である。
そして、このシール部材５は、図に示す様に、挿通孔４を通る分割面６で２分割されている。
このため、ケーブル３等への装着が容易である。
【００１３】
ついで、この種シール部材５が、コネクターに用いられた場合を、図２乃至図４に基づき説明する。
図２において、コネクターハウジング７内には、シール部材５が配置されている。
そして、シール部材５の挿通孔４には、ケーブル３が挿通された状態になっている。
ついで、図３に示す様に、コネクターハウジング７と螺合している締め込み部材８を締め込み、金属材製のワッシャー９と共に、図上左側に移動させることにより、シール部材５を押圧する。
この結果、図３に示す様に、ソフト層１が径方向内外周側にはみだし、ケーブル３外周面及びコネクターハウジング７内周面と密着する。
【００１４】
ついで、図４に示す様に、図上右側に存在するオスコネクターと、図上左側に存在するメスコネクターとを接合することにより、コネクターの組み付けが完了する。
また、この種シール部材５は、低硬度のゴム状弾性材製ソフト層１と、ソフト層１の両面に接着一体化した高硬度のゴム状弾性材製ハード層２、２との３層構造の板状体から打ち抜きにより製作することにより、安価に製作出来る。
【００１５】
すなわち、ワイヤーハーネスの形状、太さ、本数およびコネクターハクジング内径に合わせ、板状体を任意の形状に打ち抜き加工することにより、各種のシール部材を製作出来る。
特に、０リングが製作困難な直径３ｍｍ以下のワイヤーハーネスにも適用可能である。
図５は、他の実施例をオスコネクターとメスコネクターとを接合した状態を断面で示した図である。
すなわち、図２の実施例では、3本のケーブル３を平面状に配置したが、図５に示す実施例では、7本のケーブルを放射状に配置している。
そして、シール部材５には、シール部材５の外周から挿通孔４に達するスリット１０が各々に設けられている。
このため、ケーブル３は、このスリット１０を介して、それぞれの挿通孔４に容易に取り付けることが出来る。
また、ケーブル３を挿入したシール部材５は、一体となっているため、取り扱い易い。
【００１６】
また、本考案は上述の発明を実施するための最良の形態に限らず、本考案の要旨を逸脱することなくその他種々の構成を採り得ることはもちろんである。
【図面の簡単な説明】
【００１７】
【図１】本考案のシール部材をケーブルに被着するところの斜視図である。
【図２】本考案のシール部材をコネクターハウジングに装着した断面図である。
【図３】本考案のシール部材をコネクターハウジングに装着した後、締め込み部材でシール部材を押圧した状態の断面図である。
【図４】図３のオスコネクターとメスコネクターとを接合した状態を示す断面図である。
【図５】他の実施例をオスコネクターとメスコネクターとを接合した状態を断面で示した図である。
【符号の説明】
【００１８】
１  ソフト層
２  ハード層
３  ケーブル
４  挿通孔
５  シール部材
６  分割面
７  コネクターハウジング
８  締め込み部材
９  ワッシャー
１０  スリット
【図１】
0003134437.tif 000003
【図２】
0003134437.tif 000004
【図３】
0003134437.tif 000005
【図４】
0003134437.tif 000006
【図５】
0003134437.tif 000007